(57)【特許請求の範囲】
【請求項１】
一次コイルと二次コイルとを有するトランス（２）と、
該トランス（２）の上記一次コイル側に接続された一次側回路を構成する一次側半導体部品（３）と、
上記トランス（２）の上記二次コイル側に接続された二次側回路を構成する二次側半導体部品（４）と、
上記二次側半導体部品（４）に接続されたチョークコイル（５）と、
上記トランス（２）、上記一次側半導体部品（３）、上記二次側半導体部品（４）、及び上記チョークコイル（５）を搭載したベースプレート（６）と、を備え、
上記トランス（２）と、上記一次側半導体部品（３）と、上記二次側半導体部品（４）と、上記チョークコイル（５）とのうちのいずれか２つが上記ベースプレート（６）の法線方向（Ｚ）に積層された第１積層体（１１）を構成し、他の２つが上記ベースプレート（６）の法線方向（Ｚ）に積層された第２積層体（１２）を構成し、
上記一次側半導体部品（３）と上記トランス（２）とを互いに接続する一対の第１配線（７１）と、上記トランス（２）と上記二次側半導体部品（４）とを互いに接続する一対の第２配線（７２）と、を有し、
上記第１配線（７１）と上記第２配線（７２）とは、互いに隣接配置されると共に上記ベースプレート（６）の法線方向（Ｚ）に電流が流れるよう構成された第１電流経路（８１）と第２電流経路（８２）とをそれぞれ有し、
上記第２電流経路（８２）の少なくとも一方は、上記一対の第１電流経路（８１）が互いに隣接した第１方向（Ｙ）と直交する第２方向（Ｘ）に、上記第１電流経路（８１）の少なくとも一方に隣接しており、
互いに上記第２方向（Ｘ）に隣接した上記第１電流経路（８１）と上記第２電流経路（８２）とは、互いに逆向きに電流が流れるよう構成されていることを特徴とする電源装置（１）。
【請求項２】
上記第２電流経路（８２）の一方と他方とは、上記一対の第１電流経路（８１）が互いに隣接した第１方向（Ｙ）と直交する第２方向（Ｘ）に、上記第１電流経路（８１）の一方と他方とにそれぞれ隣接しており、互いに上記第２方向（Ｘ）に隣接した上記第１電流経路（８１）と上記第２電流経路（８２）とは、互いに逆向きに電流が流れるよう構成されていることを特徴とする請求項１に記載の電源装置（１）。
【請求項３】
上記第１積層体（１１）は、上記トランス（２）と上記一次側半導体部品（３）とからなり、上記第２積層体（１２）は、上記二次側半導体部品（４）と上記チョークコイル（５）とからなることを特徴とする請求項１又は２に記載の電源装置（１）。
【請求項４】
上記第１配線（７１）と上記第２配線（７２）とは、上記トランス（２）から同じ方向に引き出されていることを特徴とする請求項１〜３のいずれか一項に記載の電源装置（１）。
【請求項５】
上記第１電流経路（８１）及び上記第２電流経路（８２）は、上記第１積層体（１１）と上記第２積層体（１２）との間に配置されていることを特徴とする請求項１〜４のいずれか一項に記載の電源装置（１）。
【請求項６】
上記第１電流経路（８１）及び上記第２電流経路（８２）は、上記第１積層体（１１）と上記第２積層体（１２）との並び方向から外れた位置に配置されていることを特徴とする請求項１〜４のいずれか一項に記載の電源装置（１）。
【発明の詳細な説明】
【技術分野】
【０００１】
本発明は、トランスを備えた電源装置に関する。
【背景技術】
【０００２】
ＤＣ−ＤＣコンバータ等の電源装置として、トランスと、該トランスの一次コイル側に接続された一次側半導体部品と、トランスの二次コイル側に接続された二次側半導体部品と、二次側半導体部品に接続されたチョークコイルとを有するものがある。これらの部品は、ベースプレート上に搭載され、ベースプレートの広がり方向に並んで配置されている（特許文献１）。
【先行技術文献】
【特許文献】
【０００３】
【特許文献１】特開２００７−２２１９１９号公報
【発明の概要】
【発明が解決しようとする課題】
【０００４】
しかしながら、トランス、一次側半導体部品、二次側半導体部品、及びチョークコイルが、ベースプレートの広がり方向に並んで載置されていると、電源装置が、ベースプレートの広がり方向に大型化してしまうという問題がある。そこで、トランス、一次側半導体部品、二次側半導体部品、及びチョークコイルのうちの２つずつをベースプレートの法線方向に積層した状態で、ベースプレートに搭載することが考えられる。これにより、２つの積層体を近接配置することで、ベースプレートにおける部品搭載スペースを小さくして、電源装置の小型化を図ることができる。
【０００５】
ところが、２つの積層体を形成して、これらをベースプレートに搭載する場合、各部品間を接続する接続配線が互いに接近しやすくなる。それゆえ、その這い回し方によっては、接続配線から生じる磁束が互いに干渉して、大きな電磁ノイズが生じやすくなるおそれがある。
【０００６】
本発明は、かかる背景に鑑みてなされたものであり、電磁ノイズを低減しつつ小型化を図ることができる電源装置を提供しようとするものである。
【課題を解決するための手段】
【０００７】
本発明の一態様は、一次コイルと二次コイルとを有するトランスと、
該トランスの上記一次コイル側に接続された一次側回路を構成する一次側半導体部品と、
上記トランスの上記二次コイル側に接続された二次側回路を構成する二次側半導体部品と、
上記二次側半導体部品に接続されたチョークコイルと、
上記トランス、上記一次側半導体部品、上記二次側半導体部品、及び上記チョークコイルを搭載したベースプレートと、を備え、
上記トランスと、上記一次側半導体部品と、上記二次側半導体部品と、上記チョークコイルとのうちのいずれか２つが上記ベースプレートの法線方向に積層された第１積層体を構成し、他の２つが上記ベースプレートの法線方向に積層された第２積層体を構成し、
上記一次側半導体部品と上記トランスとを互いに接続する一対の第１配線と、上記トランスと上記二次側半導体部品とを互いに接続する一対の第２配線と、を有し、
上記第１配線と上記第２配線とは、互いに隣接配置されると共に上記ベースプレートの法線方向に電流が流れるよう構成された第１電流経路と第２電流経路とをそれぞれ有し、
上記第２電流経路の少なくとも一方は、上記一対の第１電流経路が互いに隣接した第１方向と直交する第２方向に、上記第１電流経路の少なくとも一方に隣接しており、
互いに上記第２方向に隣接した上記第１電流経路と上記第２電流経路とは、互いに逆向きに電流が流れるよう構成されていることを特徴とする電源装置にある。
【発明の効果】
【０００８】
上記電源装置においては、トランスと、一次側半導体部品と、二次側半導体部品と、チョークコイルとのうちのいずれか２つが第１積層体を構成し、他の２つが第２積層体を構成している。これにより、ベースプレートの広がり方向において、トランスと一次側半導体部品と二次側半導体部品とチョークコイルとの搭載スペースを小さくすることができる。その結果、電源装置の小型化を実現することができる。
【０００９】
ここで、第１積層体と第２積層体をベースプレート上において、近接させることにより、効果的に電源装置の小型化を図ることができるが、これらの部品間の接続配線である第１配線及び第２配線の這い回し方によっては、大きな電磁ノイズの発生を招きかねない。特に、上記電源装置は第１積層体と第２積層体とを有するため、第１配線と第２配線とは、ベースプレートの法線方向に電流が流れる部分を有する構成となりやすい。
【００１０】
そこで、まず、これらの部分を互いに隣接配置している。つまり、第１配線と第２配線とは、互いに隣接配置されると共にベースプレートの法線方向に電流が流れるよう構成された第１電流経路と第２電流経路とをそれぞれ有している。そして、第２電流経路の少なくとも一方は、一対の第１電流経路が互いに隣接した第１方向と直交する第２方向に、第１電流経路の少なくとも一方に隣接している。さらに、互いに上記第２方向に隣接した第１電流経路と第２電流経路とは、互いに逆向きに電流が流れるよう構成されている。これにより、第１電流経路と第２電流経路とからそれぞれ生じる磁束が、互いに打ち消し合うこととなる。その結果、これらの電流経路から発生する電磁ノイズを低減することができる。
【００１１】
以上のごとく、本発明によれば、電磁ノイズを低減しつつ小型化を図ることができる電源装置を提供することができる。
【図面の簡単な説明】
【００１２】
【図１】実施例１における、ベースプレートに平行な方向から見た電源装置の説明図。
【図２】実施例１における、電源装置の斜視図。
【図３】実施例１における、電源装置の回路図。
【図４】実施例１における、各電流経路に流れる電流波形を示す説明図。
【図５】実施例１における、（Ａ）期間Ｔ１に各電流経路に流れる電流及びこれに伴い生じる磁束を示す説明図、（Ｂ）期間Ｔ２に各電流経路に流れる電流及びこれに伴い生じる磁束を示す説明図。
【図６】実施例２における、ベースプレートに平行な方向から見た電源装置の説明図。
【図７】実施例３における、電源装置の斜視図。
【図８】実施例４における、ベースプレートに平行な方向から見た電源装置の説明図。
【発明を実施するための形態】
【００１３】
上記電源装置は、例えば、直流電源の高圧の直流電力を降圧して低圧の直流電力に変換するＤＣ−ＤＣコンバータとすることができる。また、上記電源装置は、例えば電気自動車やハイブリッド自動車に搭載するものとすることができる。
なお、上記法線方向とは、ベースプレートの法線に厳密に一致する方向のみならず、ベースプレートの厳密な法線に対して多少斜めの方向も含む。
【００１４】
また、上記電源装置においては、第２電流経路の少なくとも一方が、第２方向に、第１電流経路の少なくとも一方に隣接していれば、上記の効果を奏することができるが、一対の電流経路の双方が、第２方向に、一対の第１電流経路のそれぞれに隣接していることがより好ましい。すなわち、上記第２電流経路の一方と他方とは、上記一対の第１電流経路が互いに隣接した第１方向と直交する第２方向に、上記第１電流経路の一方と他方とにそれぞれ隣接しており、互いに上記第２方向に隣接した上記第１電流経路と上記第２電流経路とは、互いに逆向きに電流が流れるよう構成されていることが好ましい。この場合には、電流の向きが時系列的に変化する第１電流経路と第２電流経路とにおいて、何れのタイミングにおいても、第１電流経路と第２電流経路とからそれぞれ生じる磁束が互いに打ち消し合うようにすることができる。
【実施例】
【００１５】
（実施例１）
上記電源装置の実施例につき、図１〜図５を用いて説明する。
本例の電源装置１は、図１、図２に示すごとく、トランス２と一次側半導体部品３と二次側半導体部品４とチョークコイル５とベースプレート６とを備えている。
トランス２は、一次コイルと二次コイルとを有する。一次側半導体部品３は、トランス２の一次コイル側に接続された一次側回路を構成する。二次側半導体部品４は、トランス２の二次コイル側に接続された二次側回路を構成する。チョークコイル５は、二次側半導体部品４に接続されている。ベースプレート６は、トランス２、一次側半導体部品３、二次側半導体部品４、及びチョークコイル５を搭載している。
【００１６】
また、トランス２と一次側半導体部品３とが、ベースプレート６の法線方向Ｚに積層された第１積層体１１を構成している。また、二次側半導体部品４とチョークコイル５とが、ベースプレート６の法線方向Ｚに積層された第２積層体１２を構成している。
【００１７】
また、電源装置１は、一次側半導体部品３とトランス２とを互いに接続する一対の第１配線７１と、トランス２と二次側半導体部品４とを互いに接続する一対の第２配線７２と、を有する。
第１配線７１と第２配線７２とは、互いに隣接配置されると共にベースプレート６の法線方向Ｚに電流が流れるよう構成された第１電流経路８１と第２電流経路８２とをそれぞれ有する。
【００１８】
図２、図５に示すごとく、第２電流経路８２の一方と他方とは、一対の第１電流経路８１が互いに隣接した第１方向Ｙと直交する第２方向Ｘに、第１電流経路８１の一方と他方とにそれぞれ隣接している。互いに第２方向Ｘに隣接した第１電流経路８１と第２電流経路８２とは、互いに逆向きに電流が流れるよう構成されている。
【００１９】
すなわち、一対の第２電流経路８２のうちの一方の第２電流経路８２ａは、一対の第１電流経路８１のうちの一方の第１電流経路８１ａに対し、第２方向Ｘに隣接している。そして、第１電流経路８１ａと第２電流経路８２ａとは、互いに逆向きの電流が流れるよう構成されている（図５（Ａ））。また、一対の第２電流経路８２のうちの他方の第２電流経路８２ｂは、一対の第１電流経路８１のうちの他方の第１電流経路８１ｂに対し、第２方向Ｘに隣接している。そして、第１電流経路８１ｂと第２電流経路８２ｂとは、互いに逆向きの電流が流れるよう構成されている（図５（Ｂ））。
第１方向Ｙ及び第２方向Ｘは、ベースプレート６に平行であり、本例において、第２方向Ｘは、第１積層体１１と第２積層体１２との並び方向と略一致する。ここで、ベースプレート６に平行とは、厳密な平行のみならず、ベースプレート６の広がり方向に概略沿った方向であれば、ベースプレート６に対して多少斜めの方向も含む。
【００２０】
図１、図２に示すごとく、第１積層体１１は、一次側半導体部品３がトランス２とベースプレート６との間に配置されるように積層されている。第２積層体１２は、二次側半導体部品４がチョークコイル５とベースプレート６との間に配置されるように積層されている。
なお、ベースプレート６は、例えばアルミニウム等の金属によって構成することができる。
【００２１】
トランス２、一次側半導体部品３、二次側半導体部品４、及びチョークコイル５は、それぞれ略直方体形状を有する。そして、一次側半導体部品３と二次側半導体部品４とは、略直方体の一つの面同士が互いに対向しており、トランス２とチョークコイル５とも、略直方体の一つの面同士が互いに対向している。このような状態で、第１積層体１１と第２積層体１２とがベースプレート６上に配置されている。
【００２２】
第１配線７１と第２配線７２とは、トランス２から同じ方向に引き出されている。本例においては、トランス２における第２積層体１２と対向する対向面２１から、一対の第１配線７１及び一対の第２配線７２が、それぞれベースプレート６に平行に引き出されている。また、一対の第１配線７１の他端は、トランス２の対向面２１と同じ側を向いた一次側半導体部品３の対向面３１から、ベースプレート６に平行に引き出されている。そして、第１配線７１は、トランス２から引き出された部分と一次側半導体部品３から引き出された部分とをつなぐように、ベースプレート６の法線方向Ｚに平行に形成された部分を有する。この部分が第１電流経路８１となる。
【００２３】
また、第２配線７２の他端は、二次側半導体部品４における第１積層体１１に対向する対向面４１から引き出されている。そして、第２配線７２は、トランス２から引き出された部分と二次側半導体部品４から引き出された部分とをつなぐように、ベースプレート６の法線方向Ｚに平行な部分を有する。この部分が第２電流経路８２となる。
【００２４】
また、第１電流経路８１及び第２電流経路８２は、第１積層体１１と第２積層体１２との間に配置されている。さらには、第１電流経路８１及び第２電流経路８２以外の部分も含めて、第１配線７１及び第２配線７２の全体が、第１積層体１１と第２積層体１２との間に配置されている。
【００２５】
また、一次側半導体部品３には、直流電源に接続される一対の入力配線７３が接続されている。また、トランス２と二次側半導体部品４とは、直流配線７４によって接続されている。また、チョークコイル５には、負荷に接続される出力配線７５が接続されている。
【００２６】
本例において、電源装置１は、ＤＣ−ＤＣコンバータであり、例えば電気自動車やハイブリッド自動車に搭載され、直流電源の高圧の直流電力を低圧の直流電力に降圧し、補機用バッテリに供給するために用いられる。すなわち、図３に示すように、電源装置１は、直流電源１３１と負荷１３２（補機バッテリ等）との間に接続されて用いられる。そして、直流電源１３１に、一次側半導体部品３から構成される一次側回路が接続され、二次側半導体部品４から構成される二次側回路が、チョークコイル５を含む平滑回路を介して、負荷１３２に接続される。
【００２７】
一次側回路はスイッチング回路を構成しており、一次側半導体部品３は、複数のスイッチング素子を内蔵した半導体モジュールからなる。スイッチング素子としては、例えばＩＧＢＴ（絶縁ゲートバイポーラトランジスタ）又はＭＯＳＦＥＴ（ＭＯＳ型電界効果トランジスタ）を用いることができる。なお、一次側半導体部品は必ずしも半導体モジュールである必要はなく、例えば、ディスクリートの半導体部品であってもよい。
【００２８】
二次側回路は整流回路を構成しており、二次側半導体部品４は、複数のダイオードを内蔵したダイオードモジュールからなる。ただし、二次側半導体部品は、複数のＭＯＳＦＥＴを内蔵した半導体モジュールであってもよい。さらに、二次側半導体部品は、ディスクリートの半導体部品であってもよい。
【００２９】
また、チョークコイル５は、コンデンサ１３３と共に平滑回路を構成している。
本例の電源装置１に入力された直流電力は、一次側回路（スイッチング回路）において交流電力に変換されて、トランス２に入力される。入力された交流電力は、トランス２において降圧された後、二次側回路（整流回路）において整流されて直流電力となる。そして、降圧後の直流電力は、平滑回路において平滑化された後、出力される。
【００３０】
したがって、トランス２の一次コイルには、図４（Ａ）に電流波形を示すごとく、時系列的に交互に、符号（正負）が反対となる電流が流れる。すなわち、第１配線７１には、図４（Ａ）に電流波形を示すごとく、時系列的に交互に、符号（正負）が反対となる電流が流れる。
【００３１】
これに伴い、トランス２の二次コイルには、一次コイルの電流に同期して交番電流が生じる。しかし、図３に示すごとく、二次コイルには整流回路（二次側半導体部品４）が接続されているため、トランス２の２つの二次端子（第２配線７２）における電流の向きは、トランス２から二次側半導体部品４へ向かう向きとなり、図４（Ｂ）、（Ｃ）に電流波形を示すごとく、電流の符号（正負）が反転することはない。ただし、各第２配線７２に流れる電流は、断続的であり、一対の第２配線７２に、交互に電流が流れることとなる。なお、図４（Ｂ）は、一方の第２配線７２（第２電流経路８２ａ）における電流波形を示し、図４（Ｃ）は、他方の第２配線７２（第２電流経路８２ｂ）における電流波形を示す。
【００３２】
このように、一対の第１配線７１及び一対の第２配線７２に、時系列的に変化する電流が流れることを考慮して、上述のように第１電流経路８１（８１ａ、８１ｂ）及び第２電流経路８２（８２ａ、８２ｂ）を配置している。なお、図４に示すグラフの横軸は時間経過を表す。
【００３３】
次に、本例の作用効果につき説明する。
上記電源装置１においては、トランス２と一次側半導体部品３とが第１積層体１１を構成し、二次側半導体部品４とチョークコイル５とが第２積層体１２を構成している。これにより、ベースプレート６の広がり方向において、トランス２と一次側半導体部品３と二次側半導体部品４とチョークコイル５との搭載スペースを小さくすることができる。その結果、電源装置１の小型化を実現することができる。
【００３４】
ここで、第１積層体１１と第２積層体１２とをベースプレート６上において、近接させることにより、効果的に電源装置１の小型化を図ることができるが、部品間の接続配線の這い回し方によっては、大きな電磁ノイズの発生を招きかねない。
特に、上記電源装置１は第１積層体１１と第２積層体１２とを有するため、第１配線７１と第２配線７２とは、ベースプレート６の法線方向Ｚに電流が流れる部分を有する構成となりやすい。
【００３５】
そこで、まず、これらの部分を互いに隣接配置している。つまり、第１配線７１と第２配線７２とは、図２、図５に示すごとく、互いに隣接配置されると共にベースプレート６の法線方向Ｚに電流が流れるよう構成された第１電流経路８１と第２電流経路８２とをそれぞれ有している。そして、第２電流経路８２の一方（第２電流経路８２ａ）と他方（第２電流経路８２ｂ）とは、第２方向Ｘに、第１電流経路８１の一方（第１電流経路８１ａ）と他方（第１電流経路８１ｂ）とにそれぞれ隣接している。さらに、互いに第２方向Ｘに隣接した第１電流経路８１と第２電流経路８２とは、互いに逆向きに電流が流れるよう構成されている。これにより、第１電流経路８１と第２電流経路８２とからそれぞれ生じる磁束が、互いに打ち消し合うこととなる。その結果、これらの電流経路から発生する電磁ノイズを低減することができる。
【００３６】
この点につき、より詳しく説明する。第１配線７１及び第２配線７２はそれぞれ２本ずつ存在し、それぞれの一部である第１電流経路８１及び第２電流経路８２も、それぞれ２本ずつ存在する。そして、第１電流経路８１には、図４（Ａ）に示すごとく、時系列的に交互に反対向きの電流が流れるが、何れのタイミングにおいても、図５（Ａ）、（Ｂ）に示すごとく、一対の電流経路８１のうちの一方（第１電流経路８１ａ）に流れる電流と他方（第１電流経路８１ｂ）に流れる電流とが逆向きとなるように、構成されている。
【００３７】
また、第２電流経路８２には、図４（Ｂ）、（Ｃ）に示すごとく、第１電流経路８１の電流変化に同期して、断続的な電流が流れる。そして、一対の第２電流経路８２（８２ａ、８２ｂ）とに、交互に同じ方向（図５においては、紙面の表から裏へ向かう方向）の電流が流れるよう構成してある。
【００３８】
つまり、図４における時期Ｔ１においては、図５（Ａ）に示すごとく、一方の第２電流経路８２ａに電流が流れる。そして、その向きは、第２方向Ｘに隣り合う第１電流経路８１ａにおける電流の向きと逆となる。
一方、図４における時期Ｔ２においては、図５（Ｂ）に示すごとく、他方の第２電流経路８２ｂに電流が流れる。そして、その向きは、第２方向Ｘに隣り合う第１電流経路８１ｂにおける電流の向きと逆となる。
【００３９】
これにより、時期Ｔ１においては、図５（Ａ）に示すごとく、一対の第１電流経路８１に流れる電流に起因して、一対の第１電流経路８１の間を貫くように形成される磁束φ１１が、第２電流経路８２ａに流れる電流に起因して形成される磁束φ２１によって打ち消される（弱められる）。
同様に、時期Ｔ２においては、図５（Ｂ）に示すごとく、一対の第１電流経路８１に流れる電流に起因して、一対の第１電流経路８１の間を貫くように形成される磁束φ１２が、第２電流経路８２ａに流れる電流に起因して形成される磁束φ２２によって打ち消される（弱められる）。
このようにして、これらの電流経路から発生する電磁ノイズを低減することができる。
【００４０】
また、図１、図２に示すごとく、第１積層体１１は、トランス２と一次側半導体部品３とからなり、第２積層体１２は、二次側半導体部品４とチョークコイル５とからなる。これにより、電源装置１の小型化を容易に図ることができる。
【００４１】
また、第１配線７１と第２配線７２とは、トランス２から同じ方向に引き出されている。これにより、第１配線７１及び第２配線７２の長さを短くしつつ、第１電流経路８１と第２電流経路８２とを隣接配置させやすくなる。また、第１電流経路８１及び第２電流経路８２は、第１積層体１１と第２積層体１２との間に配置されている。これにより、さらに、第１配線７１及び第２配線７２の長さを短くしつつ、第１電流経路８１と第２電流経路８２とを隣接配置させやすくなる。
【００４２】
以上のごとく、本例によれば、電磁ノイズを低減しつつ小型化を図ることができる電源装置を提供することができる。
【００４３】
（実施例２）
本例は、図６に示すごとく、第２配線７２を、トランス２における第２積層体１２と反対側の面から引き出してなる電源装置１の例である。
すなわち、第２配線７２は、トランス２における対向面２１と反対側の背面２２から引き出されると共に屈曲されて、二次側半導体部品４における対向面４１に至るように引き回されている。なお、第２配線７２における二次側半導体部品４側の端部は、実施例１の場合と同様に、二次側半導体部品４の対向面４１から第１積層体１１に向かって、ベースプレート６に平行に引き出されている。
【００４４】
そして、第２配線７２は、第１積層体１１と第２積層体１２との間の空間において、ベースプレート６の法線方向Ｚに平行な部分を有し、この部分が第２電流経路８２となり、第１電流経路８１と、第２方向Ｘに隣り合うように配置されている。一対の第１電流経路８１と一対の第２電流経路８２との位置関係は、実施例１（図５）と同様である。
【００４５】
その他は、実施例１と同様である。なお、本例又は本例に関する図面において用いた符号のうち、実施例１において用いた符号と同一のものは、特に示さない限り、実施例１と同様の構成要素等を表す。
本例の場合にも、実施例１と同様の作用効果を奏する。
【００４６】
（実施例３）
本例は、図７に示すごとく、第１電流経路８１及び第２電流経路８２が、第１積層体１１と第２積層体１２との並び方向から外れた位置に配置されている例である。
すなわち、第１電流経路８１及び第２電流経路８２が、第１積層体１１と第２積層体１２との間の空間とは異なる位置に配されている。
本例においては、トランス２における対向面２１と直交すると共にベースプレート６と直交する側面２３から、一対の第１配線７１及び一対の第２配線７２が、ベースプレート６と平行に引き出されている。
【００４７】
また、一対の第１配線７１及び一対の第２配線７２は、それらの他端が、トランス２の側面２３と同じ方向を向いた一次側半導体部品３の側面３３及び二次側半導体部品４の側面４３から引き出されている。そして、一対の第１配線７１及び一対の第２配線７２は、それぞれ第１電流経路８１及び第２電流経路８２を、トランス２の側面２３及び一次側半導体部品３の側面３３と対向する位置に有する。
【００４８】
一対の第１電流経路８１と一対の第２電流経路８２との位置関係は、実施例１（図５）と同様である。また、一対の第１電流経路８１が互いに隣接した第１方向Ｙと直交する第２方向Ｘは、第１積層体１１と第２積層体１２との並び方向と平行である。
その他は、実施例１と同様である。なお、本例又は本例に関する図面において用いた符号のうち、実施例１において用いた符号と同一のものは、特に示さない限り、実施例１と同様の構成要素等を表す。
【００４９】
本例の場合には、第１積層体１１と第２積層体１２とを近接配置しやすくなる。その結果、電源装置１の一層の小型化を図ると共に、インダクタンスの低減を図ることもできる。
その他、実施例１と同様の作用効果を奏する。
【００５０】
（実施例４）
本例は、図８に示すごとく、第１半導体部品３とチョークコイル５とを積層して第１積層体１１を構成し、第２半導体部品４とトランス２とを積層して第２積層体１２を構成した例である。
第１積層体１１は、一次側半導体部品３がチョークコイル５とベースプレート６との間に配置されるように積層されている。第２積層体１２は、二次側半導体部品４がトランス２とベースプレート６との間に配置されるように積層されている。
【００５１】
また、トランス２と一次側半導体部品３とを互いに接続する一対の第１配線７１は、第１積層体１１と第２積層体１２とをつなぐように配線される。また、トランス２と二次側半導体部品４とを互いに接続する一対の第２配線７２は、第２積層体１２の部品同士をつなぐこととなる。
【００５２】
また、一対の第１電流経路８１と一対の第２電流経路８２とは、第１積層体１１と第２積層体１２との間に配置されている。
一対の第１電流経路８１と一対の第２電流経路８２との位置関係は、実施例１（図５）と同様である。また、一対の第１電流経路８１が互いに隣接した第１方向Ｙと直交する第２方向Ｘは、第１積層体１１と第２積層体１２との並び方向と平行である。
その他は、実施例１と同様である。なお、本例又は本例に関する図面において用いた符号のうち、実施例１において用いた符号と同一のものは、特に示さない限り、実施例１と同様の構成要素等を表す。
【００５３】
本例の電源装置１においては、第１積層体１１の組合せ、及び、第２積層体１２の組合せを、実施例１とは変更している。かかる構成においても、第１配線７１及び第２配線７２の這い回しと、第１電流経路８１及び第２電流経路８２の配置を適切に行うことで、実施例１と同様の作用効果を奏することができる。
【００５４】
本発明は、上記実施例以外にも、第１配線及び第２配線の配置を適宜変更したり、第１積層体及び第２積層体の構成を適宜変更したりした態様を採ることができる。
【符号の説明】
【００５５】
１  電源装置
１１  第１積層体
１２  第２積層体
２  トランス
３  一次側半導体部品
４  二次側半導体部品
５  チョークコイル
６  ベースプレート
７１  第１配線
７２  第２配線
８１  第１電流経路
８２  第２電流経路
Ｘ  第２方向
Ｙ  第１方向
Ｚ  法線方向
【図１】
0005928517.tif 000002
【図２】
0005928517.tif 000003
【図３】
0005928517.tif 000004
【図４】
0005928517.tif 000005
【図５】
0005928517.tif 000006
【図６】
0005928517.tif 000007
【図７】
0005928517.tif 000008
【図８】
0005928517.tif 000009